(57)【特許請求の範囲】
【請求項１】
スチームバスであって、
ステンレス鋼製シートからなる第１の角柱と、
ステンレス鋼製シートからなる、前記第１の角柱内に設けられる第２の角柱と、
前記第１の角柱と前記第２の角柱の間に設けられる絶縁材料とを有する抵抗システムと、
前記抵抗システムが内部に配置される容器と、
前記第１の角柱及び前記第２の角柱は、電極ベース上に設けられた２つの電極に接続され、
配分機器から重力によって落下する水滴が前記抵抗システムに接触することにより、スチームを生成してスチーム出口から放出する、
スチームバス。
【請求項２】
ステンレス鋼製シートからなる、前記第２の角柱内に設けられる第３の角柱をさらに備え、
前記第１、第２及び第３の角柱は、ベースが開放されている、
請求項１に記載のスチームバス。
【請求項３】
前記配分機器から前記抵抗システムに降下される前記水滴の数に応じて、電力消費が増減される、
請求項１または２に記載のスチームバス。
【請求項４】
前記容器は、手動ドレイン及び自動水量制御システムを有する、
請求項１から３のいずれか一項に記載のスチームバス。
【発明の詳細な説明】
【技術分野】
【０００１】
本発明は水蒸気を生成するのに使用される抵抗システムに関しており、使用されているタイプの中では、出願の分野としては、とりわけ、スチームバス製造に関している。この機器により、電力及び水力消費が減り、このタイプの風呂に必要なスチーム量が豊富にかなりの短時間で生成される。この特徴により、この機器は住宅、ジム、オフィスなどに設置することができる。
【背景技術】
【０００２】
皆が知っているように、スチームバスはその医療上の特性、身体をリラックスさせる性質、及びとりわけ、生成される水蒸気の働きにより生成される汗により体内から液体及び不純物を取り除くという特別な適用法により長年の間使用されてきた機器である。
【０００３】
サウナ、トルコ風呂、及びスチームバスに関する解決法が、赤外線ライトあるいはランプ、好適にはハロゲンランプ、及び電気抵抗などの源からエネルギーを取り出す技術水準において知られており、後者が最も頻繁に使用されているシステムであり、特に、水蒸気生成発熱機器（抵抗）は、スチームバス製造において使用されているとして報告され知られており、本発明はこの側面を取り扱う。
【０００４】
ＲＯＭＡＮＯＦＦ  ＰＡＵＬ  ＩＲＡ氏が出願した１０７７年６月２８日発行の特許ＵＳ４０３１５７３は、ヒータの上に配置したトレーの水を蒸発させるのに十分な熱を生成する電気ヒータからなるスチーム生成機器を示している。この機器が提起する主たる不利な点は、トレーからの水蒸発工程が長くかかりすぎて、電力消費が増加せざるを得ないことである。
【０００５】
ＹＯＯＺＥＦＵ  ＢＡＲＵＴＯＨＡＡＺＡＲＵ  ＡＲＵＮＯＲＵＴが出願した１９８９年５月１０日発行の特許ＪＰ１１１８００２は、スチームバスで使用できるスチーム生成器を特色としている。水中に配置され、それを沸点まで加熱する抵抗あるいは発熱体を持つ。この機器の不利な点は、水をスチームに変換するのに高電力消費を要し、これを達成するのに必要な時間もまた増加する点である。
【０００６】
ＨＥＬＯ  ＴＥＨＴＡＡＴ  ＯＹが出願した１９９０年５月１４日発行の特許ＦＩ８８４７２６は、スチームバスで使用され、水を蒸発させるのに十分な熱を生成する電気抵抗を持つ、このタイプのシステム（電気ストーブ）を特色としている。しかし、このシステムもまた、その温度制御システムがスチーム需要に比例して水が多量に組み込まれることを要求するので、高電力消費という不利な点を持つ。
【０００７】
ＨＡＲＶＩＡ  ＰＥＲＴＩ  ＫＡＬＥＶＩが出願した１９９０年５月１４日発行の特許ＦＩ８８４７１４は、独立して働く抵抗システムを示している、つまり、異なる電圧の電力は必要としないが、浸水されることが要求されるので、水を加熱して水蒸気に変換する過程においては水と電力消費増加さらには大幅な時間増加が必要となる。
【０００８】
ＫＵＲＺ  ＲＵＤＯＬＦ  ＧＭＢＨ＆ＣＯ．が出願した１９９０年１２月２８日発行の特許ＣＨ６７６１９９は、ヒータを水貯蔵器あるいはタンク内に浸水させることでスチームを取り出すことを主たる特徴とする機器を特色としている。必要なスチームを生成するには高電力消費が必要とされる。システムが加熱機器を水中に導入あるいは浸すことを必要とすることにより、冷水と接触したときの破損を防ぐには機器が冷たいまま水中に導入されねばならない、という総則として不利な点を提起する。この方法を使用したスチーム生成は、高電力消費を必要とする。
【０００９】
ＤＡＮＮＥＮＭＡＮＮ  ＧＵＤＲＵＭが出願した１９９１年７月７日発行の特許ＤＥ４００１７７８、１９９４年２月１７日発行のＤＥ４２２６６８９、及び特許ＤＥ４３２８３７６は、スチームバス用の水蒸気生成機器を示している。しかし、この機器の不利な点は、電気発熱体が水タンク内に設置されており、スチーム変換するには区画内の水全てを加熱する必要があるので、これは時間を要し必然的に消費電力が増加することである。
【００１０】
ＭＩＴＳＵＩ  ＭＩＮＩＮＧ  ＣＯ．ＬＴＤが出願した１９９６年８月６日発行の特許ＪＰ８１９９８３４は、水蒸気へ変換するには水を蒸発させるべく加熱前に浸水させることが必要な抵抗システムを特色としており、前述した特許に含まれる機器同様の不利な点を提起している。
【００１１】
ＫＬＡＦＳ  ＳＡＵＮＢＡＵが出願した１００７年１１月９日発行の特許ＤＥ１９６０９１２８は、セラミック表面を加熱する原則の下で機能するシステムを特色としており、好適には火山石である、他の種類の石が使用されるほかの経験の代わりとなるが、セラミック表面を加熱するには高電力消費が必要とされ、異なる電圧の電力を使用することはできない。
【００１２】
ＴＡＮＡＫＡ  ＹＡＳＵＨＩＤＥが出願した２００２年９月２４日発行の特許ＪＰ２００２２７２８０６では、水蒸気生成用の抵抗システムが使用されるが、加熱前に発熱体を浸水する必要があるという不利な点を特色としており、これにより水及び電力の消費が増え、抵抗が導入された際に水貯蔵器に必要な水量がない場合、抵抗が破壊する危険がある。同様に、浸水した状態で機能するシステムは加熱によって水をスチームに変換する際に長時間を要す。
【００１３】
ＲＵＫＵ  ＧＭＢＨ＆ＣＯ．、ＫＧが出願した２００５年６月２日発行の特許ＤＥ１０３５１２６３は、発熱体の使用により蒸発させられる水で充たされる容器を持つスチームバス用のスチーム生成部を特色としている。水をスチームに変換するのに十分な熱を生成する目的上、この発熱部には高電力消費が必要とされる（この発熱部は該容器の中ではなく下側に配置される）。
【００１４】
総則では、目下の技術水準が含むトルコ風呂は大まかに以下のような不利な点を持つ：
ａ）スチーム生成目的の既存及び既知の抵抗は、大概、水の継続する流れあるいは連通するつぼを通じて供給される水容器あるいは貯蔵器内に浸され、水に抵抗を接続して、電気接触をすることで猛烈に熱くなったとき過熱を防ぎ、水が組み込まれた際の破壊を防ぐ。
ｂ）永久的に水を含む容器に機器が浸水されるということで、水をスチームに変換するのに要求される温度に水が達するのに要す時間が増加する。
【００１５】
皆が知っているように、これら機器の最終消費者の大半は迅速で効果的な、電力及び水消費が低いスチームバスにオフィス、ジム、あるいは家庭で入ることのできるスチームバス及びシステムに十分な時間をかけることはできないので、それは彼等の実際的及び経済的な局面における解決法となる。本タイプの解決法は目下の技術水準には含まれていない。
【発明の開示】
【００１６】
本発明の目的は、エネルギー及び水の消費に関して最大限の性能を持つ、スチームバスで使用できるスチーム生成用の抵抗システムを含む。
【図面の簡単な説明】
【００１７】
図面は以下を示す、
【図１】抵抗システムの側面図を示す。
【００１８】
【図１．１】該システムの立面図を示す。
【００１９】
【図２】電極と固締システムの基となる、抵抗システムを示す。
【００２０】
【図３】抵抗システムと水滴下システムの全貌図を示す。
【００２１】
【図４−５】ブースあるいはスチームバスの斜視図を示す。
【発明を実施するための最良の形態】
【００２２】
懸案の抵抗システムは、ベースが開放された、三つの矩形ベース角柱からなり、図１、及び図１．１が示すように、異なる寸法のステンレス鋼製のシート（１）、（２）、及び（３）が矩形に折り曲げられて矩形角柱を形成している。
【００２３】
このような矩形角柱は、入れ子式に配置されており、特別なプラスチックあるいは絶縁材料（４）で仕切られねばならず、電極（１０）及び（１１）用のベース（２２）を持つ。
【００２４】
これら抵抗は、水入口（２１）とスチーム出口（１５）と手動ドレインと重力・自動水量制御システムとを持つ、繊維ガラスのケースあるいは容器（１６）内に配置される。
【００２５】
水蒸気生成用の抵抗システムは、目下の技術水準で知られているシステムに比して以下の利点を有す。
【００２６】
１．機器は乾式接続されるので、加熱後に抵抗が水に接触して分解する危険がない。
２．ステンレス鋼でできているにも関わらず、抵抗は電気で猛烈に熱くなることが決してないので、抵抗壁が耐久性あるものとなる。
３．水適用は水滴降下により行われ、抵抗に接触する水滴数に応じて、及び水滴の下降の速度率を低下させることにより、電力消費を増減することができる機器により制御される。この結果、永久的な水容器が必要でなくなるので水の節約につながる。
４．以上の水滴は容器に貯められた水よりも早く蒸発して水蒸気となるので、スチーム生成の時間節約がなされる。
５．抵抗が電気に乾式接続（水を要さない）できることから、アンペア数が０から始まることができ、システム内に幾つかの水滴が導入されると、アンペア数も１２０ｖにおいて８と１０（最大）の間に達するまで徐々に上昇し、さらに抵抗を２４０ｖに接続できることから、アンペア数は３あるいは４アンペアに降下する。
【００２７】
この水蒸気生成機器は、杉材あるいは処理されたアメリカ松材のスチームバスに使用される。このスチームバスは、換気システム（１７）、照明、アロマエッセンス区画、一人あるいは二人用の座席（１８）、アロマ用ドレイン、廃物貯蔵器（１９）、及び水滴によりシステムに適用する水貯蔵器（２０）を具備する。
【００２８】
本発明に実際の目的を実現させる製造上の特徴を、例示として、しかし限定的な例としてではなく、以下に示す。
【００２９】
ステンレス鋼製の２４のゲージのシートからなる、ベースが開放された、三つの矩形ベース角柱からなる抵抗は、外側の矩形ベース角柱（３）をなすシートが長さ１６．５ｃｍ、幅５．５ｃｍ、高さ４．２ｃｍという寸法であり、中間の矩形ベース角柱（２）が長さ１５．５ｃｍ、幅５．０ｃｍ、高さ４．２ｃｍであり、内側の矩形ベース角柱（１）が長さ１５ｃｍ、幅４．５ｃｍ、高さ４．２ｃｍである。これら矩形ベース角柱は特別なプラスチックあるいは絶縁材料（４）でお互いに仕切られねばならない。
【００３０】
この機器は、配分機器（１４）内に排出管を持つ水滴（１３）降下用の水入口（２１）と、ブースに接続されたスチーム出口（１５）、手動ドレイン、及び重力・自動水量制御システムとを持つ、長さ７−１／２"、幅３"、高さ５"の、繊維ガラスの容器あるいはケース（１６）内に配置される。
【００３１】
杉材あるいは処理されたアメリカ松材からなる一人用のブースの寸法は、高さ８０"、幅３７"、深さ３０"である。
【００３２】
この機器は使用の際、電気に接続され、抵抗に降下する水滴により早急に水蒸気生成を始める。所望であれば、アロマエッセンスを水に追加してスチームバスの使用者を楽しませることもできる。
【００３３】
このシステムの別の潜在的な製造上の特徴としては、入れ子式にできるよう異なる寸法あるいは構成を持たせることのできる同じステンレス鋼製の三つの（３）円柱あるいは立方体からなり、それらが絶縁材料で仕切られている、というものもある。これを達成する目的からは、抵抗システムが提示する新たな構成に対して、さらに繊維ガラスのケース（１６）を適用して、水滴下システムに関する同じ技術規則が使用される必要がある。
【図１】
0004846536.tif 000002
【図１．１】
0004846536.tif 000003
【図２】
0004846536.tif 000004
【図３】
0004846536.tif 000005
【図４】
0004846536.tif 000006
【図５】
0004846536.tif 000007